(57)【要約】【課題】この発明の目的は、どのような厚みのレンズであっても固定することができる眼鏡のレンズ固定機構を提供することにある。【解決手段】テンプルやブリッジ等の連結部材のレンズと接する面側に突設したピンを切断可能として長さを調節可能とし、レンズに設けた孔から飛び出さない長さにしたピンを挿入するとともに、レンズの使用者側からブッシュの柱状部をレンズの孔内に嵌合挿入して、使用者にピンが接触しないようにする。【選択図】        図１
2005062217.tif 000002
【特許請求の範囲】
【請求項１】
連結部材のレンズ側に突設され、かつレンズに穿設した孔内に位置し得るとともに、長さを変更可能なピンと、周面が前記レンズの孔の周面と当接する柱状部を有するブッシュとを具え、該ブッシュを前記連結部材とレンズの反対側からレンズの孔内に嵌合することを特徴とする眼鏡のレンズ固定機構。
【請求項２】
連結部材のレンズ側に突設され、かつレンズに穿設した孔内に位置し得るとともに、長さを変更可能なピンと、前記ピンが挿入する孔が設けられ、かつ周面が前記レンズの孔の周面と当接する柱状部を有するブッシュとを具え、該ブッシュを前記連結部材とレンズの反対側からレンズの孔内に嵌合することを特徴とする眼鏡のレンズ固定機構。
【請求項３】
前記ピンには長さを調整するために所定の間隔をおいて切断用の溝が複数形成され、断面が鋸状をなしている請求項１又は２記載の眼鏡のレンズ固定機構。
【請求項４】
前記ブッシュには頭部が設けられ、この頭部がピンの端よりも使用者側に位置している請求項１又は２記載の眼鏡のレンズ固定機構。
【請求項５】
前記連結部材はテンプルである請求項１又は２記載の眼鏡のレンズ固定機構。
【請求項６】
前記連結部材はブリッジである請求項１又は２記載の眼鏡のレンズ固定機構。
【発明の詳細な説明】
【０００１】
【発明の属する技術分野】
この発明は眼鏡のレンズ固定機構に関し、特に、どのような厚みのレンズであっても容易に固定することができるメガネのレンズ固定機構に関するものである。
【０００２】
【従来技術およびその問題点】
一般に、眼鏡のレンズ固定機構は特開２０００−１６２５５０号に示すようなものが知られている。
【０００３】
【特許文献１】
特開２０００−１６２５５０号公報
【０００４】
この特許文献１に示すものは、レンズの端部に孔を穿設し、この孔内に一部が挿入され、かつ頭部が片面に位置しているブッシュを配設する。そして、頭部の方から連結部材を配設して、レンズと連結部材との間で頭部を挟持するようにし、連結部材に設けた孔とブッシュに設けた孔とを一致させ、連結部材側から頭部を有するピンを挿入して頭部が連結部材に当接するようにする。
【０００５】
このように構成することにより、金属製のピンは樹脂製のブッシュの孔内に挿入しているので滑り難くなり、これにより、従来のようにねじを用いてねじで構成することなく連結部材とレンズとを連結することができる。
【０００６】
上記のように構成した場合、連結は容易であるが、ピンの長さを使用するレンズの厚みに応じて変化させる必要がある。このために、何種類もの長さのピンを準備する必要があるとともに、多く使用される長さのピンと滅多に使用されない長さのピンとが発生し、準備および保管に際して非常に煩雑になるという問題点を有している。
【０００７】
また、上記のようなものの他に、特許文献としては示していないが、連結部材としてテンプルに一体に断面が鋸状のピンを突設し、このピンをレンズに穿設した孔内に位置し、連結部材と反対側の方からレンズの孔内に樹脂製のブッシュを挿入する。するとこのブッシュはその孔内に前記断面鋸状のピンが挿入し、外周面がレンズに設けた孔の内壁に当接した状態で位置する。これにより、ピンの孔内には断面鋸状のピンが挿入しているので、連結部材であるテンプルとレンズとを連結することができる。
【０００８】
上記のものの場合には前記と同様に簡単に連結することができるが、前記のものと同様に連結部材に一体に取り付けられているピンの長さが固定のために、通常の厚みのレンズには固定することができるが、度が強い場合等、厚みが変化したものの場合には取り付けることができず、前記と同様に種々な長さのピンを有する連結部材を用意する必要がある。
【０００９】
このために、多く使用される長さのピンを有する連結部材と滅多に使用されない長さのピンを有する連結部材とを準備する必要があり、準備および保管に際して非常に煩雑になるという問題点を有している。
【００１０】
この発明は前記のような従来のもののもつ問題点を解決したものであって、どのような厚みのレンズであっても確実に固定することができる眼鏡のレンズ固定機構を提供することを目的とする。
【００１１】
【問題点を解決するための手段】
この発明は上記の問題点を解決するために、連結部材のレンズ側に突設され、かつレンズに穿設した孔内に位置し得るとともに、長さを変更可能なピンと、周面が前記レンズの孔の周面と当接する柱状部を有するブッシュとを具え、該ブッシュを前記連結部材とレンズの反対側からレンズの孔内に嵌合する手段を採用した。
また、この発明は、連結部材のレンズ側に突設され、かつレンズに穿設した孔内に位置し得るとともに、長さを変更可能なピンと、前記ピンが挿入する孔が設けられ、かつ周面が前記レンズの孔の周面と当接する柱状部を有するブッシュとを具え、該ブッシュを前記連結部材とレンズの反対側からレンズの孔内に嵌合する手段を採用した。
そして、前記ピンには長さを調整するために所定の間隔をおいて切断用の溝が複数形成されて断面が鋸状をなしており、前記ブッシュには頭部が設けられ、この頭部がピンの端よりも使用者側に位置している。前記連結部材はテンプルであり、前記連結部材はブリッジである。
【００１２】
【作用】
この発明は上記のように構成したことにより、レンズに設けた孔内にテンプルやブリッジ等の連結部材に設けたピンを挿入する。この場合、レンズの厚みに応じてピンを切断して長さ調整をしてレンズの反対側に突出しないようにする。こののち、連結部材と反対側からレンズの孔内にブッシュを嵌合挿入することで使用者にピンが接触しないようにする。
【００１３】
【発明の実施の形態】
以下、この発明の実施の形態について説明する。図１にはこの発明による眼鏡のレンズ固定機構を具えた連結部材であるテンプル１が示されていて、このテンプル１は、その先端部１ａが屈曲してレンズＲの前面と接するとともに、内方、すなわちレンズＲと接触する側に複数のピン２、２が突設されている。このテンプル１は、中央部よりも前面側に蝶番３が設けられ、この蝶番３によって屈曲可能、すなわち、折り畳み可能であるとともに、後端部１ｂには図示しないモダンが取り付けられている。
【００１４】
このテンプル１は蝶番３により屈曲可能であり、その先端部においてレンズＲ方向に突設された複数のピン２、２は、その断面形状が図２に示すように鋸状に形成されるとともに、谷部２ａにおいてニッパ等の簡易な工具で切断可能に形成されている。
【００１５】
なお、ピン２を断面鋸状に形成することなく、種々の断面形状を採用することができ、要は、谷部２ａで容易に切断可能とすれば、どのような形状の山谷部２ｂ、２ａであっても良いものである。また、後述するブッシュ５を柱状部６に孔７を穿設したものを使用する場合には柱状部６の孔７内に挿入した際に山部２ｂが引っ掛かって抜けにくくなるものであればどのような山部２ｂの形状であっても良いものである。
【００１６】
一方、前記ピン２が挿入可能な大きさとなっているブッシュ５は図３に示すように一方に頭部８が形成された柱状部６を有し、柱状部６には他方から孔７が穿設されている。
また、レンズＲには前記ピン２、２の位置、間隔等に対応して孔Ｓを穿設する。そして、柱状部６の外周が前記レンズＲに設けた孔Ｓ内に嵌合挿入可能な太さになっていて、頭部８がレンズＲの内面、すなわち、眼鏡をかける人側に位置した状態で柱状部６をレンズＲの孔Ｓ内に嵌合挿入すると、柱状部６の外周面はレンズＲの孔Ｓの内壁に、柱状部６に穿設した孔７の内周面は鋸状のピン２の山部２ｂの外側にそれぞれ当接するようになっている。
【００１７】
このように柱状部６の孔７の内部に鋸状のピン２を挿入させた状態とすることで、使用者が傷付くことは確実に阻止することができる（図４参照）とともに、嵌合挿入したブッシュ５が落下するのを確実に防止できる。
【００１８】
なお、図５に示すように前記ブッシュ５の柱状部６に孔７を設けることなく、レンズＲの厚みよりもピン２の方を短くしてこの凹んだ部分に柱状部６を挿入するようにしても良いものである。
また、図６に示すように前記ブッシュ５に頭部８を設けることなく孔７が穿設されたあるいは孔７が穿設されていない柱状部６のみでブッシュ５を形成しても良い。すなわち、柱状部６よりも使用者側にピン２の端が突出していなければ、使用者を傷付ける恐れは無いものであり、万が一の場合を考慮してブッシュ５を嵌合挿入しておくものである。
【００１９】
上記のようにテンプル１を連結部材として、このテンプル１にレンズ固定機構を設けた構成を示したが、連結部材としてテンプル１を用いるだけでなく、左右のレンズＲ、Ｒ間を連結するブリッジ１０を連結部材として構成しても良い（図７参照）。そして、このブリッジ１０の左右両端部に少なくとも２つのピン２、２を突設することで、左右両レンズＲ、Ｒを固定した状態で連結することができるものであり、既述のように各ピン２、２を谷部で切断することで所望の長さとして種々のレンズの厚みに対応させることができるものである。
【００２０】
さらに、テンプル１の場合と同様に、ブッシュ５の柱状部６の孔７内にピン２を挿入させた状態とすることで、使用者がピンによって傷付くことは確実に阻止することができ（図８参照）、既述のようにブッシュ５の形状は問わないものである。
【００２１】
【発明の効果】
この発明は前記のように構成したことにより、レンズの厚さに応じてピンの長さを変更可能であるので、どのような厚さのレンズであっても、連結部材に確実に取り付けることができ、しかも、この作業はピンを切断するだけの作業で良いので、たとえば小売り店でも容易に行うことができる。また、ピンの端をブッシュで覆うことができるので使用者がピンによって傷付いたりする恐れが全く無く、一つのテンプルや一つのブリッジをどのようなレンズであっても使用することができて、使用者の要望に応えることができる。さらに、レンズに穿設する孔はピンの位置に対応して穿設すれば良いのでどのような形状の連結部材であっても確実にレンズを固定することができるという効果を有している。
【図面の簡単な説明】
【図１】この発明による眼鏡のレンズ固定機構を示し、連結部材としてテンプルに設けた状態を示す概略説明図である。
【図２】連結部材に突設されるピンの概略拡大図である。
【図３】ブッシュを示す概略斜視図である。
【図４】連結部材としてテンプルを用い、テンプルとピンとレンズとブッシュとの連結状態を示す概略説明図である。
【図５】図４においてブッシュの他の例を示す概略説明図である。
【図６】図４においてブッシュのさらに他の例を示す概略説明図である。
【図７】この発明による眼鏡のレンズ固定機構を示し、連結部材としてブリッジに設けた状態を示す概略説明図である。
【図８】連結部材としてブリッジを用い、ブリッジとピンとレンズとブッシュとの連結状態を示す概略説明図である。
【符号の説明】
１……テンプル（連結部材）
１ａ……先端部
１ｂ……後端部
２……ピン
２ａ……谷部
２ｂ……山部
３……蝶番
５……ブッシュ
６……柱状部
７……孔
８……頭部
１０……ブリッジ
Ｒ……レンズ
Ｓ……孔
【図１】
2005062217.tif 000003
【図２】
2005062217.tif 000004
【図３】
2005062217.tif 000005
【図４】
2005062217.tif 000006
【図５】
2005062217.tif 000007
【図６】
2005062217.tif 000008
【図７】
2005062217.tif 000009
【図８】
2005062217.tif 000010